(57)【要約】【課題】インターレース方式の映像信号の映像源を的確に判別し得る映像源判別装置を実現する。【解決手段】入力映像信号における連続する第１のフィールド及び第２のフィールドそれぞれから、互いに同じ空間的位置に画素を有する第１の補正フィールド及び第２の補正フィールドを生成する補正フィールド生成手段と、第１及び第２の補正フィールドにおける等しい空間的位置の画素を、複数画素でなるブロック単位で比較して一致又は不一致を検出する比較手段と、比較手段が検出したブロックの一致又は不一致回数を１フィールド分計数して計数値を出力する計数手段と、計数値に基づいて、連続する２つのフィールド間の同一又は非同一性を判定し、当該判定結果を示すシーケンス値をフィールド毎に出力する同一性判定手段と、シーケンス値のパターンに基づいて、入力映像信号がフィルムソースであるか否かを判別するフィルムソース判別手段とを映像源判別装置に設けた。【選択図】        図２
2004343333.tif 000002
【特許請求の範囲】
【請求項１】
インターレース方式の入力映像信号の映像源を判別する映像源判別装置であって、
上記入力信号における連続する第１のフィールド及び第２のフィールドそれぞれから、互いに同じ空間的位置に画素を有する第１の補正フィールド及び第２の補正フィールドを生成する補正フィールド生成手段と、
上記第１及び第２の補正フィールドにおける等しい空間的位置の画素を、複数画素でなるブロック単位で比較して一致又は不一致を検出する比較手段と、
上記比較手段が検出した上記ブロックの一致又は不一致回数を１フィールド分計数して計数値を出力する計数手段と、
上記計数値に基づいて、連続する２つの上記フィールド間の同一又は非同一性を判定し、当該判定結果を示すシーケンス値をフィールド毎に出力する同一性判定手段と、
上記シーケンス値のパターンに基づいて、上記入力映像信号がフィルムソースであるか否かを判別するフィルムソース判別手段
を具えることを特徴とする映像源判別装置。
【請求項２】
上記同一性判定手段は、連続する２つの上記フィールドそれぞれについての上記計数値の比に基づいて上記同一又は非同一性を判定する
ことを特徴とする請求項１に記載の映像源判別装置。
【請求項３】
上記同一性判定手段は、所定の比較値と上記計数値との大小に基づいて上記同一又は非同一性を判定する
ことを特徴とする請求項１に記載の映像源判別装置。
【請求項４】
インターレース方式の入力映像信号の映像源を判別する映像源判別方法であって、
上記入力信号における連続する第１のフィールド及び第２のフィールドそれぞれから、互いに同じ空間的位置に画素を有する第１の補正フィールド及び第２の補正フィールドを生成し、
上記第１及び第２の補正フィールドにおける等しい空間的位置の画素を、複数画素でなるブロック単位で比較して一致又は不一致を検出し、
上記ブロックの一致又は不一致回数を１フィールド分計数して計数値を生成し、
上記計数値に基づいて、連続する２つの上記フィールド間の同一又は非同一性を判定し、当該判定結果を示すシーケンス値をフィールド毎に生成し、
上記シーケンス値のパターンに基づいて、上記入力映像信号がフィルムソースであるか否かを判別する
ことを特徴とする映像源判別方法。
【請求項５】
連続する２つの上記フィールドそれぞれについての上記計数値の比に基づいて上記同一又は非同一性を判定する
ことを特徴とする請求項４に記載の映像源判別方法。
【請求項６】
所定の比較値と上記計数値との大小に基づいて上記同一又は非同一性を判定する
ことを特徴とする請求項４に記載の映像源判別方法。
【発明の詳細な説明】
【０００１】
【発明の属する技術分野】
本発明は映像源判別装置に関し、インターレース方式の映像信号の映像源を的確に判別して、映像源に応じた走査線倍加処理方法を最適に選択する場合に適用して好適なものである。
【０００２】
【従来の技術】
近年、テレビジョン受像機の大画面化に伴い、その表示映像の高精細化が要求されている。そして、テレビジョン受像機における表示映像の高精細化方法として、入力された映像信号の走査線を増加して表示する方法が広く用いられている。
【０００３】
このような映像信号の走査線増加方法として、入力映像信号のフィールド内もしくはフィールド間の相関を用いて走査線を倍加する方法がある。入力映像信号の映像源がビデオカメラの場合は、フィールド毎に異なる映像が供給されるため、当該フィールド内もしくはフィールド間の相関を用いて、走査線をうまく倍加することができる。
【０００４】
これに対して、入力映像信号の映像源が映画フィルムの場合（以下、これをフィルムソースの映像信号と呼ぶ）、当該フィルムソースの映像信号は、毎秒２４コマの映画フィルムを毎秒６０フィールドのＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）信号に変換する３−２プルダウン処理や、毎秒２４コマの映画フィルムを毎秒５０フィールドのＰＡＬ（Ｐｈａｓｅ  Ａｌｔｅｒｎａｔｉｏｍ  ｂｙ  Ｌｉｎｅ  ）信号に変換する２−２プルダウン処理が施されている。
【０００５】
これらのプルダウン処理では、映画のフィルム１コマから３枚あるいは２枚のフィールドが生成されるため、フィルムソースの映像信号に対して単純にフィールド内もしくはフィールド間の相関を用いて走査線を倍加すると、かえって表示品質が劣化してしまうことがあるという問題がある。
【０００６】
このため、映像信号のフィールド間相関に基づいて当該映像信号がフィルムソースであるか否かを判別し、当該判別結果に応じて適切な走査線倍加方法を選択するための映像源判別方法が提案されている（例えば、特許文献１参照）。
【０００７】
【特許文献１】特開２００２−３３０３１１号公報
【０００８】
【発明が解決しようとする課題】
ところが上述した映像源判別方法は、毎秒６０フィールドのＮＴＳＣ信号にのみ対応しており、毎秒５０フィールドのＰＡＬ信号には対応していないという問題があった。
【０００９】
また、上述した映像源判別方法は、例えば電波伝搬環境等の影響によって入力映像信号のＳ／Ｎ比が低下した場合、確実にフィルムソースの判別を行い得ないという問題があった。
【００１０】
本発明は以上の点を考慮してなされたもので、インターレース方式の映像信号の映像源を的確に判別し得る映像源判別装置を提案しようとするものである。
【００１１】
【課題を解決するための手段】
かかる課題を解決するため本発明においては、インターレース方式の入力映像信号の映像源を判別する映像源判別装置において、入力映像信号における連続する第１のフィールド及び第２のフィールドそれぞれから、互いに同じ空間的位置に画素を有する第１の補正フィールド及び第２の補正フィールドを生成する補正フィールド生成手段と、第１及び第２の補正フィールドにおける等しい空間的位置の画素を、複数画素でなるブロック単位で比較して一致又は不一致を検出する比較手段と、比較手段が検出したブロックの一致又は不一致回数を１フィールド分計数して計数値を出力する計数手段と、計数値に基づいて、連続する２つのフィールド間の同一又は非同一性を判定し、当該判定結果を示すシーケンス値をフィールド毎に出力する同一性判定手段と、シーケンス値のパターンに基づいて、入力映像信号がフィルムソースであるか否かを判別するフィルムソース判別手段とを設けた。
【００１２】
連続する第１のフィールド及び第２のフィールドそれぞれから、互いに同じ空間的位置に画素を有する第１の補正フィールド及び第２の補正フィールドを生成し、当該第１及び第２の補正フィールド間の画素の一致に基づいてフィルムソースであるか否かを判定することにより、インターレース信号におけるフィールド間の垂直方向の非相関成分を抑止して、確実に入力映像信号の映像源を判定することができる。
【００１３】
また本発明においては、同一性判定手段が、連続する２つのフィールドそれぞれについての上記計数値の比に基づいて上記同一又は非同一性を判定するようにしたことにより、例えば電波伝搬環境等の影響によって入力映像信号のＳ／Ｎ比が低下した場合でも、確実に入力映像信号の映像源を判定することができる。
【００１４】
【発明の実施の形態】
以下図面について、本発明の実施の形態を詳述する。
【００１５】
（１）映像信号処理装置の全体構成
図１は、本発明を適用した映像信号処理装置１の全体構成を示し、外部から供給される入力映像信号Ｓ１を、第１のフィールドメモリ２、第１の選択スイッチ３及びフィルム判別部４に入力する。
【００１６】
第１のフィールド画像メモリ２は、入力映像信号Ｓ１を１フィールド分遅延して１フィールド遅延映像信号Ｓ２を生成し、これを第２のフィールドメモリ５、フィルム判別部４及び走査線倍加部６に入力する。そして第２のフィールドメモリ３は、１フィールド遅延映像信号Ｓ２をさらに１フィールド分遅延して２フィールド遅延映像信号Ｓ３を生成し、これを第２の選択スイッチ２に入力する。
【００１７】
かくして映像信号処理装置１は、入力映像信号Ｓ１から、当該入力映像信号Ｓ１を１フィールド分遅延した１フィールド遅延映像信号Ｓ２と、当該入力映像信号Ｓ１を２フィールド分遅延した２フィールド遅延映像信号Ｓ３とを生成する。
【００１８】
フィルム判別部４（後述）は、入力映像信号Ｓ１と１フィールド遅延映像信号Ｓ２との間のフィールド相関に基づいて入力映像信号Ｓ１がフィルムソースであるか否かの判別を行う。
【００１９】
そしてフィルム判別部４は、入力映像信号Ｓ１がフィルムソースである場合はフラグが「１」でなり、フィルムソースでない場合はフラグが「０」でなるフィルム検出信号Ｄ１を第１の選択スイッチ３及び走査線倍加部６に供給する。第１の選択スイッチ３は、フィルム検出信号Ｄ１のフラグが「０」のとき、入力端子を端子３Ａに切替え、フィルム検出信号Ｄ１のフラグが「１」のとき、入力端子を端子３Ｂに切替える。
【００２０】
またフィルム判別部４は、入力映像信号Ｓ１がフィルムソースであると判断した場合、後述するシーケンス値Ｓ１４のパターンに応じて、フィルムシーケンス信号Ｄ２のフラグを「０」又は「１」に切り替えて第２の選択スイッチ７に供給する。またフィルム判別部４は、入力映像信号Ｓ１がフィルムソースでないと判断した場合、フィルムシーケンス信号Ｄ２のフラグを「０」に固定して供給する。第２の選択スイッチ７は、フィルムシーケンス信号Ｄ２のフラグが「０」のとき、入力端子を端子７Ａに切替え、フィルムシーケンス信号Ｄ２のフラグが「１」の場合、入力端子を端子７Ｂに切替える。
【００２１】
このため、入力映像信号Ｓ１がフィルムソースでない場合、第１の選択スイッチ３は入力映像信号Ｓ１を選択して走査線倍加部６に供給し、第２の選択スイッチ７は２フレーム遅延映像信号Ｓ３を選択して走査線倍加部６に供給する。これにより走査線倍加部６には、入力映像信号Ｓ１、１フィールド遅延映像信号Ｓ２及び２フィールド遅延映像信号Ｓ３が同期して供給される。そして走査線倍加部６は同期した入力映像信号Ｓ１、１フィールド遅延映像信号Ｓ２及び２フィールド遅延映像信号Ｓ３の連続する３フィールドに対し、フィールド内もしくはフィールド間相関を用いて走査線を倍加して倍加映像信号Ｓ５を生成する。
【００２２】
これに対して入力映像信号Ｓ１がフィルムソースである場合、第２の選択スイッチ７は、フィルムシーケンス信号Ｄ２に応じて入力映像信号Ｓ１又は２フィールド遅延映像信号Ｓ３をフィールド毎に切り替えることにより、切替映像信号Ｓ４を生成する。そして第２の選択スイッチ７は、切替映像信号Ｓ４を、走査線倍加部６に対して直接及び第１の選択スイッチ３を介して供給する。そして走査線倍加部６は、１フィールド遅延映像信号Ｓ２と切替映像信号Ｓ４とを用いて走査線を倍加して倍加映像信号Ｓ５を生成する。
【００２３】
（２）フィルム判別部の構成
次に、フィルム判別部４の構成を説明する。図２に示すようにフィルム判別部４は、入力映像信号Ｓ１及び１フィールド遅延映像信号Ｓ２を補間フィルタ１０に入力する。
【００２４】
ここで、入力映像信号Ｓ１のフィールドと、これを１フィールド遅延した１フィールド遅延映像信号Ｓ２のフィールドとは、互いに異なる空間的位置に画素を有している。補間フィルタ１０は、入力映像信号Ｓ１及び１フィールド遅延映像信号Ｓ２をそれぞれ補間し、互いに同じ空間的位置に画素を有する補間入力映像信号Ｓ１１及び補間１フィールド遅延映像信号Ｓ１２を生成することにより、映像の垂直方向の非相関成分を抑止し、これにより、後段のフィールド比較回路１１においてフィールド間相関を検出する際の検出精度を向上させる。
【００２５】
すなわち図３に示すように、ある時点の入力映像信号Ｓ１が奇数フィールドである場合、これを第１のフィールドｆ１とするとともに、これに同期する１フィールド遅延映像信号Ｓ２の偶数フィールドを第２のフィールドｆ２とし、画素の間隔をＬとすると、第１のフィールドｆ１の画素Ｐ１１及びＰ１２からそれぞれ互いに等しいＬ／２の距離に第２のフィールドｆ２の画素Ｐ２１が位置しており、第２のフィールドｆ２の画素Ｐ２１及びＰ２２からそれぞれ互いに等しいＬ／２の距離に第１のフィールドｆ１の画素Ｐ１２が位置している。
【００２６】
そして、第１のフィールドｆ１の画素Ｐ１１及びＰ１２、並びに第２のフィールドｆ２の画素Ｐ２１及びＰ２２の４つの画素の平均位置Ａｖｅは、画素Ｐ１１から下方に３Ｌ／４かつ画素Ｐ１２から上方にＬ／４、また画素Ｐ２１から下方にＬ／４かつ画素Ｐ２２から上方に３Ｌ／４の位置になる。
【００２７】
補正フィールド生成手段としての補間フィルタ１０は、第１のフィールドｆ１の画素Ｐ１１及びＰ１２を距離に反比例した重み付け加算することにより、第１の補間フィールドｆ１’の補間画素Ｐ１１’を平均位置Ａｖｅに生成する。すなわち補間フィルタ１０は、補間画素Ｐ１１’から３Ｌ／４の位置にある画素Ｐ１１に対して１／４の重み付けをするとともに、当該補間画素Ｐ１１’からＬ／４の位置にある画素Ｐ１２に対して３／４の重み付けをして両者を加算することにより、補間画素Ｐ１１’を生成する。以下同様にして補間フィルタ１０は、第１のフィールドｆ１の２画素を重み付け加算して第１の補間フィールドｆ１’の補間画素を生成していく。
【００２８】
同様に補間フィルタ１０は、第２のフィールドｆ２の画素Ｐ２１及びＰ２２を距離に反比例した重み付け加算することにより、第２の補間フィールドｆ２’の補間画素Ｐ２１’を平均位置Ａｖｅに生成する。すなわち補間フィルタ１０は、補間画素Ｐ２１’からＬ／４の位置にある画素Ｐ２１に対して３／４の重み付けをするとともに、当該補間画素Ｐ２１’から３Ｌ／４の位置にある画素Ｐ２２に対して１／４の重み付けをして両者を加算することにより補間画素Ｐ２１’を生成する。以下同様にして補間フィルタ１０は、第２のフィールドｆ２の２画素を重み付け加算して第２の補間フィールドｆ２’の補間画素を生成していく。
【００２９】
以上は入力映像信号Ｓ１が奇数フィールドである場合について述べたが、逆に入力映像信号Ｓ１が偶数フィールドの場合もある。すなわち図４に示すように、ある時点の入力映像信号Ｓ１が偶数フィールドの場合、これを第２のフィールドｆ２とするとともに、これに同期する１フィールド遅延映像信号Ｓ２の奇数フィールドを第１のフィールドｆ１とし、画素間隔をＬとすると、第２のフィールドｆ２の画素Ｐ２１及びＰ２２からそれぞれ互いに等しいＬ／２の距離に第１のフィールドｆ１の画素Ｐ１２が位置しており、第１のフィールドｆ１の画素Ｐ１１及びＰ１２からそれぞれ互いに等しいＬ／２の距離に第２のフィールドｆ２の画素Ｐ２１が位置している。
【００３０】
この場合補間フィルタ１０は、補間画素Ｐ２１’からＬ／４の位置にある画素Ｐ２１に対して３／４の重み付けをするとともに、当該補間画素Ｐ２１’から３Ｌ／４の位置にある画素Ｐ２２に対して１／４の重み付けをして加算することにより補間画素Ｐ２１’を生成する。以下同様にして補間フィルタ１０は、第２のフィールドｆ２の２画素を重み付け加算して第２の補間フィールドｆ２’の補間画素を生成していく。
【００３１】
同様に補間フィルタ１０は、補間画素Ｐ１１’から３Ｌ／４の位置にある画素Ｐ１１に対して１／４の重み付けをするとともに、当該補間画素Ｐ１１’からＬ／４の位置にある画素Ｐ１２に対して３／４の重み付けをして加算することにより補間画素Ｐ１１’を生成する。以下同様にして補間フィルタ１０は、第１のフィールドｆ１の２画素を重み付け加算して第１の補間フィールドｆ１’の補間画素を生成していく。
【００３２】
上述したように補間フィルタ１０は、入力映像信号Ｓ１のフィールドが偶数フィールドであるか奇数フィールドであるかによって、異なった重み付けをして第１の補間フィールドｆ１’及び第２の補間フィールドｆ２’を生成する。かかるフィールドの偶奇判別は、外部から供給されるフィールド識別信号ｆｉｄに基づいて行われる。
【００３３】
かくして補間フィルタ１０は、同一位置に画素を有する第１の補間フィールドｆ１’及び第２の補間フィールドｆ２’を順次生成し、これらをそれぞれ補間入力映像信号Ｓ１１及び補間１フィールド遅延映像信号Ｓ１２として後段のフィールド比較回路１１に供給する。
【００３４】
比較手段としてのフィールド比較回路１１は、補間入力映像信号Ｓ１１の画素と、補間１フィールド遅延映像信号Ｓ１２における対応する位置の画素とを、例えば６画素を１ブロックとして当該ブロック単位で順次比較していく。そしてフィールド比較回路１１は、ブロック内の補間入力映像信号Ｓ１１の画素と対応する補間１フィールド遅延映像信号Ｓ１２の画素とが１つでも一致した場合に「０」でなり、対応する画素が一つも一致しない場合は「１」でなるブロック毎の検出判別値Ｓ１３を、後段の検出回路１２に供給する。
【００３５】
同一性判定手段としての検出回路１２の構成を図５に示す。計数手段としてのカウンタ２０は、検出判別値Ｓ１３を１垂直期間分（すなわち１フィールド分）カウントし、これをカウント値Ｃｎとして出力する。このカウント値Ｃｎはフィールド間の画像の相関性を表し、カウント値Ｃｎが小さいほどフィールド間の画像の相関性が高いことを表している。フィルム判別部４は、このカウント値Ｃｎに基づいてフィルムソースの判別を行う。
【００３６】
ここでフィルム判別部４は、カウント値Ｃｎと後述する比較値Ｃｃとの大小に基づいてフィルムソースの判別を行う絶対値判別モードと、フィールド間のカウント値Ｃｎの比に基づいてフィルムソースの判別を行う比率判別モードの２種類の判別モードを有している。
【００３７】
またフィルム判別部４は、３つの異なる動作状態（ステート）を有している。すなわち図６に示すように、２−２プルダウンを検出していない（フィルムソースを検出していない）状態であるステート０、２−２プルダウンを現在している状態であるステート１、及び２−２プルダウンを直前まで検出しており、現在は検出していない状態であるステート２である。フィルム判別部４の状態遷移判別回路１３は現在のステートを判別し、当該判別したステートを表すステート信号Ｓｔを検出回路１２に供給する。そして検出回路は、ステート信号Ｓｔに応じて比較値Ｃｃを増減することにより、上述した３つのステート間を適切に遷移するようになされている。
【００３８】
まず、絶対値判別モードについて説明する。この場合、フィルム判別部４の制御部（図示せず）は、選択スイッチ２１の入力端子を端子２１Ａ側に選択するとともに、選択スイッチ２２の入力端子を端子２２Ｂ側に選択する。
【００３９】
これによりカウンタ２０はカウント値Ｃｎを比較器２３に供給する。また比較値発生回路２４は、外部から供給される閾値Ｔｈと状態遷移判別回路１３から供給されるステート信号Ｓｔに応じた比較値Ｃｃ（比較値Ｃｃ０、Ｃｃ１又はＣｃ２）を生成し、これを比較器２３に供給する。
【００４０】
比較器２３はカウント値Ｃｎと比較値Ｃｃとを比較し、当該カウント値Ｃｎが比較値Ｃｃ以下の場合２つのフィールドの画像が一致しているものとして「０」の、そうでない場合は「１」でなるシーケンス値Ｓ１４を出力する。
【００４１】
ここで、入力映像信号Ｓ１が２−２プルダウンによって生成されたフィルムソースの映像信号である場合、当該入力映像信号Ｓ１のフィールドは、図７に示すようにａ、ａ’、ｂ、ｂ’、ｃ、ｃ’、ｄ、ｄ’、ｅ、ｅ’……のパターンを形勢する。フィールドａ及びａ’は映画フィルムのコマａを変換して生成されたものであり、同様に、フィールドｂ及びｂ’はコマｂを、フィールドｃ及びｃ’はコマｃを、フィールドｄ及びｄ’はコマｄを、フィールドｅ及びｅ’はコマｅをそれぞれ変換して生成されたものである。また、フィールドａ、ｂ、ｃ、ｄ、ｅ、……はインターレース信号の一方のフィールドであり、フィールドａ’、ｂ’、ｃ’、ｄ’、ｅ’、……は他方のフィールドである。
【００４２】
このように入力映像信号Ｓ１がフィルムソースの場合、同一のコマから生成された２組のフィールドが順次出現するため、連続した２フィールドの相関を表すシーケンス値Ｓ１４には、図７に示すように０、１、０、１、０、１、……のパターン（「０」と「１」が交互に現れる規則的パターン）が出現する。これに対して入力映像信号Ｓ１がフィルムソースではない場合、フィールド毎の画像が全て異なる可能性が高いため、このような規則的パターンは出現しない。
【００４３】
フィルムソース判別手段としての状態遷移判別回路１３は、このシーケンス値Ｓ１４のパターンに基づいてフィルムソース検出を行い、入力映像信号Ｓ１がフィルムソースである場合はフラグが「１」でなり、フィルムソースでない場合はフラグが「０」でなるフィルム検出信号Ｄ１を第１の選択スイッチ３及び走査線倍加部６に供給する。
【００４４】
また状態遷移判別回路１３は、入力映像信号Ｓ１がフィルムソースである場合、シーケンス値Ｓ１４の値に応じて、フィルムシーケンス信号Ｄ２のフラグを「０」又は「１」に順次切り替えて第２の選択スイッチ７に供給する。
【００４５】
さらにフィルム判別部４は絶対値判別モードにおいて、図８に示す絶対値判別モード処理手順ＲＴ１に従って、上述した３つのステート間を遷移する。
【００４６】
すなわちフィルム判別部４は、絶対値判別モード処理手順ＲＴ１の開始ステップから入ってステップＳＰ１に移る。
【００４７】
ステップＳＰ１において、フィルム判別部４の状態遷移判別回路１３は、フィルム判別部４のステートを２−２プルダウンを検出していない状態であるステート０に設定するとともに、当該ステート０を示すステート信号Ｓｔを検出回路１２に出力する。この状態において映像信号処理回路１は、入力映像信号Ｓ１が非フィルムソースであるとして処理を行う。
【００４８】
次のステップＳＰ２において、フィルム判別部４の検出回路１２は、ステート信号Ｓｔによって示されるステート０に応じた比較値Ｃｃ０を生成し、カウント値Ｃｎと比較値Ｃｃ０とを比較する。ステップＳＰ２においてカウント値Ｃｎが比較値Ｃｃ０以下の場合、検出回路１２はステップＳＰ３に移り、シーケンス値Ｓ１４を「０」として状態遷移判別回路１３に出力し、ステップＳＰ５に移る。これに対してステップＳＰ２においてカウント値Ｃｎが比較値Ｃｃ０以下でない場合、検出回路１２はステップＳＰ４に移り、シーケンス値Ｓ１４を「１」として状態遷移判別回路１３に出力し、ステップＳＰ５に移る。
【００４９】
ステップＳＰ５において状態遷移判別回路１３は、検出回路１２から供給されたシーケンス値Ｓ１４を内蔵するレジスタ（図示せず）に保持し、次のステップＳＰ６に移る。
【００５０】
ステップＳＰ６において状態遷移判別回路１３は、レジスタに保持したシーケンス値Ｓ１４に、「１０１０」でなる２−２プルダウンパターンが任意のＫ回連続して検出されるか否かを判断する。ステップＳＰ６において２−２プルダウンパターンがＫ回連続して検出されない場合、状態遷移判別回路１３はステップＳＰ１に戻る。これに対して、ステップＳＰ６において２−２プルダウンパターンがＫ回連続して検出された場合、状態遷移判別回路１３は次のステップＳＰ７に移る。
【００５１】
ステップＳＰ７において状態遷移判別回路１３は、フィルム判別部４のステートを、２−２プルダウンを検出した状態であるステート１に設定するとともに、当該ステート１を示すステート信号Ｓｔを検出回路１２に出力する。この状態において映像信号処理回路１は、入力映像信号Ｓ１がフィルムソースであるとして処理を行う。
【００５２】
次のステップＳＰ８において検出回路１２は、ステート信号Ｓｔによって示されるステート１に応じた比較値Ｃｃ１を生成し、カウント値Ｃｎと比較値Ｃｃ１とを比較する。ステップＳＰ８においてカウント値Ｃｎが比較値Ｃｃ１以下の場合、検出回路１２はステップＳＰ９に移り、シーケンス値Ｓ１４を「０」として状態遷移判別回路１３に出力し、ステップＳＰ１１に移る。これに対してステップＳＰ８においてカウント値Ｃｎが比較値Ｃｃ１以下でない場合、検出回路１２はステップＳＰ１０に移り、シーケンス値Ｓ１４を「１」として状態遷移判別回路１３に出力し、ステップＳＰ１１に移る。
【００５３】
ステップＳＰ１１において状態遷移判別回路１３は、検出回路１２から供給されたシーケンス値Ｓ１４をレジスタに保持し、次のステップＳＰ１２に移る。
【００５４】
ステップＳＰ１２において状態遷移判別回路１３は、レジスタに保持したシーケンス値Ｓ１４に２−２プルダウンパターンが任意のＬ回連続して検出されるか否かを判断する。ステップＳＰ１２において２−２プルダウンパターンがＬ回連続して検出された場合、状態遷移判別回路１３はステップＳＰ８に戻ってステート１を維持する。この状態において映像信号処理回路１は、入力映像信号Ｓ１がフィルムソースであるとして処理を継続する。
【００５５】
これに対して、ステップＳＰ１２において２−２プルダウンパターンがＬ回連続して検出されない場合、状態遷移判別回路１３は次のステップＳＰ１３に移る。
【００５６】
ステップＳＰ１３において状態遷移判別回路１３は、フィルム判別部４のステートを、２−２プルダウンを直前まで検出しており、かつ現在は検出していない状態であるステート２に設定するとともに、当該ステート２を示すステート信号Ｓｔを検出回路１２に出力する。この状態において映像信号処理回路１は、入力映像信号Ｓ１が非フィルムソースであるとして処理を行う。
【００５７】
次のステップＳＰ１４において検出回路１２は、ステート信号Ｓｔによって示されるステート２に応じた比較値Ｃｃ２を生成し、カウント値Ｃｎと比較値Ｃｃ２とを比較する。ステップＳＰ１４においてカウント値Ｃｎが比較値Ｃｃ２以下の場合、検出回路１２はステップＳＰ１５に移り、シーケンス値Ｓ１４を「０」として状態遷移判別回路１３に出力し、ステップＳＰ１７に移る。これに対してステップＳＰ１４においてカウント値Ｃｎが比較値Ｃｃ２以下でない場合、検出回路１２はステップＳＰ１６に移り、シーケンス値Ｓ１４を「１」として状態遷移判別回路１３に出力し、ステップＳＰ１７に移る。
【００５８】
ステップＳＰ１７において状態遷移判別回路１３は、検出回路１２から供給されたシーケンス値Ｓ１４をレジスタに保持し、次のステップＳＰ１８に移る。
【００５９】
ステップＳＰ１８において状態遷移判別回路１３は、レジスタに保持したシーケンス値Ｓ１４に２−２プルダウンパターンが任意のＭ回連続して検出されるか否かを判断する。ステップＳＰ１８において２−２プルダウンパターンがＭ回連続して検出された場合、状態遷移判別回路１３はステップＳＰ７に戻ってステート１に復帰する。この状態において映像信号処理回路１は、入力映像信号Ｓ１がフィルムソースであるとして処理を再開する。
【００６０】
これに対して、ステップＳＰ１８において２−２プルダウンパターンがＭ回連続して検出されない場合、状態遷移判別回路１３は次のステップＳＰ１９に移る。
【００６１】
ステップＳＰ１９において状態遷移判別回路１３は、レジスタに保持したシーケンス値Ｓ１４に２−２プルダウンパターンが任意のＮ回連続して検出されるか否かを判断する。ステップＳＰ１９において２−２プルダウンパターンがＮ回連続して検出された場合、状態遷移判別回路１３はステップＳＰ１３に戻ってステート２を維持する。
【００６２】
これに対して、ステップＳＰ１９において２−２プルダウンパターンがＮ回連続して検出されない場合、状態遷移判別回路１３はステップＳＰ１に戻ってステート０に復帰する。
【００６３】
このように状態遷移判別回路１３は、ステートに応じて比較値Ｃｃの値を増減するとともに、ステートの遷移条件である２−２プルダウンパターンの検出回数を各ステート間で異ならせることにより、例えばステート０からステート１へは遷移条件を厳しくしたり、ステート１とステート２の間は遷移条件を緩くすることができる。すなわち、ステート０、１及び２の間の遷移条件をそれぞれ独立して任意に定めることができる。
【００６４】
次に、比率判別モードについて説明する。この場合フィルム判別部４の制御部（図示せず）は、図５に示す選択スイッチ２２の入力端子を端子２２Ａ側に選択する。
【００６５】
最小値保持回路２６には、カウント値Ｃｎと、当該カウント値Ｓ１４をＶラッチ２５によって１フィールド分遅延してなる遅延カウント値Ｃｎ−１とが同期して入力される。最小値保持回路２６はカウント値Ｃｎと遅延カウント値Ｃｎ−１とを比較して小さい方のカウント値を保持し、この値を最小カウント値Ｃｍｉｎとして重み付け回路２７に供給する。重み付け回路２７は最小カウント値Ｃｍｉｎに対し、外部から供給される重み付け定数Ｗｔと状態遷移判別回路１３から供給されるステート信号Ｓｔとに応じて算出される重み付け値αをかけることにより、重み付け最小カウント値αＣｍｉｎを生成し、これを比較器２３に供給する。
【００６６】
また最小値保持回路２６は、カウント値Ｃｎが遅延カウント値Ｃｎ−１未満の場合は選択スイッチ２１の入力端子を端子２１Ｂ側に選択して遅延カウント値Ｃｎ−１を比較器２３に供給し、そうでない場合は入力端子を端子２１Ａ側に選択してカウント値Ｃｎを比較器２３に供給する。
【００６７】
これにより比較器２３には、カウント値Ｃｎ及び遅延カウント値Ｃｎ−１のうちの大きい方の値と、カウント値Ｃｎ及び遅延カウント値Ｃｎ−１のうちの小さい方の値でなる最小カウント値Ｃｍｉｎに重み付け値αをかけた重み付け最小カウント値αＣｍｉｎを生成とが供給される。そして比較器２３は両者を比較し、重み付け最小カウント値αＣｍｉｎがカウント値Ｃｎ又は遅延カウント値Ｃｎ−１未満の場合はシーケンス値Ｓ１４を「１」とし、そうでない場合はシーケンス値Ｓ１４を「０」とする。
【００６８】
そして状態遷移判別回路１３は、このシーケンス値Ｓ１４に基づいてフィルムソースの判別を行うともに、上述した３つのステート間の遷移を行う。
【００６９】
このようにフィルム判別部４は比率判別モードにおいて、連続する２枚のフィールドのカウント値Ｃｎ及び遅延カウント値Ｃｎ−１の比に基づいてフィルムソースの判別を行うことにより、電波伝搬環境等の影響によって入力映像信号Ｓ１のＳ／Ｎ比が低下した場合でも、確実にフィルムソースの判別を行うことができる。
【００７０】
次に、上述した比率判別モードにおけるフィルム判別部４の処理手順を、図９に示すフローチャートを用いて説明する。
【００７１】
すなわちフィルム判別部４は、図９に示す比率判別モード処理手順ＲＴ２の開始ステップから入ってステップＳＰ２１に移る。
【００７２】
ステップＳＰ２１において、検出回路１２の最小値保持回路２６は、カウント値Ｃｎと、当該カウント値Ｓ１４を１フィールド分遅延してなる遅延カウント値Ｃｎ−１とを比較する。ステップＳＰ２１においてカウント値Ｃｎが遅延カウント値Ｃｎ−１未満の場合、最小値保持回路２６はステップＳＰ２２に移る。
【００７３】
ステップＳＰ２２において最小値保持回路２６は、カウント値Ｃｎ及び遅延カウント値Ｃｎ−１のうちの小さいほうの値であるカウント値Ｃｎを最小カウント値Ｃｍｉｎとして保持し、さらに当該最小カウント値Ｃｍｉｎに重み付け値αをかけた重み付け最小カウント値αＣｍｉｎを比較器２３に供給する。また最小値保持回路２６は、選択スイッチ２１の入力端子を端子２１Ｂ側に選択して遅延カウント値Ｃｎ−１を比較器２３に供給する。
【００７４】
次のステップＳＰ２３において比較器２３は、選択スイッチ２１を介して供給される遅延カウント値Ｃｎ−１と、重み付け回路２７から供給される重み付け最小カウント値αＣｍｉｎとを比較する。ステップＳＰ２３において重み付け最小カウント値αＣｍｉｎが遅延カウント値Ｃｎ−１未満の場合、比較器２３はステップＳＰ２４に移ってシーケンス値Ｓ１４を「１」として状態遷移判別回路１３に出力し、ステップＳＰ３０に移る。これに対して、ステップＳＰ２３において重み付け最小カウント値αＣｍｉｎが遅延カウント値Ｃｎ−１未満でない場合、比較器２３はステップＳＰ２５に移ってシーケンス値Ｓ１４を「０」として状態遷移判別回路１３に出力し、ステップＳＰ３０に移る。
【００７５】
一方、ステップＳＰ２１においてカウント値Ｃｎが遅延カウント値Ｃｎ−１未満でない場合、最小値保持回路２６はステップＳＰ２６に移る。
【００７６】
ステップＳＰ２６において最小値保持回路２６は、カウント値Ｃｎ及び遅延カウント値Ｃｎ−１のうちの小さいほうの値である遅延カウント値Ｃｎ−１を最小カウント値Ｃｍｉｎとして保持し、さらに当該最小カウント値Ｃｍｉｎに重み付け値αをかけた重み付け最小カウント値αＣｍｉｎを比較器２３に供給する。また最小値保持回路２６は、選択スイッチ２１の入力端子を端子２１Ａ側に選択してカウント値Ｃｎを比較器２３に供給する。
【００７７】
次のステップＳＰ２７において比較器２３は、選択スイッチ２１を介して供給されるカウント値Ｃｎと、重み付け回路２７から供給される重み付け最小カウント値αＣｍｉｎとを比較する。ステップＳＰ２７において重み付け最小カウント値αＣｍｉｎがカウント値Ｃｎ未満の場合、比較器２３はステップＳＰ２８に移ってシーケンス値Ｓ１４を「１」として状態遷移判別回路１３に出力し、ステップＳＰ３０に移る。これに対して、ステップＳＰ２７において重み付け最小カウント値αＣｍｉｎがカウント値Ｃｎ未満でない場合、比較器２３はステップＳＰ２９に移ってシーケンス値Ｓ１４を「０」として状態遷移判別回路１３に出力し、ステップＳＰ３０に移る。
【００７８】
ステップＳＰ３０において状態遷移判別回路１３は、検出回路１２の比較器２３から供給されたシーケンス値Ｓ１４を内蔵するレジスタに保持し、次のステップＳＰ３１に移る。
【００７９】
ステップＳＰ３１において状態遷移判別回路１３は、レジスタに保持したシーケンス値Ｓ１４に、「１０１０」でなる２−２プルダウンパターンが検出されるか否かを判断する。ステップＳＰ３１において２−２プルダウンパターンが検出された場合、入力映像信号Ｓ１がフィルムソースであるとして上述したステート１に移行し、ステップＳＰ２１に戻る。これに対してステップＳＰ３１において２−２プルダウンパターンが検出されない場合、入力映像信号Ｓ１がフィルムソースではないとしてステート０又は２に移行し、ステップＳＰ２１に戻る。
【００８０】
次に、比率判別モードにおけるステートの遷移を、図１０に示すフローチャートを用いて説明する。
【００８１】
すなわちフィルム判別部４の状態遷移判別回路１３は、比率判別モード処理手順ＲＴ３の開始ステップから入ってステップＳＰ４１に移る。
【００８２】
ステップＳＰ４１において、状態遷移判別回路１３は、フィルム判別部４のステートを２−２プルダウンを検出していない状態であるステート０に設定するとともに、当該ステート０を示すステート信号Ｓｔを検出回路１２に出力し、次のステップＳＰ４２に移る。この状態において映像信号処理回路１は、入力映像信号Ｓ１が非フィルムソースであるとして処理を行う。
【００８３】
ステップＳＰ４２において状態遷移判別回路１３は、レジスタに保持したシーケンス値Ｓ１４に、「１０１０」でなる２−２プルダウンパターンが任意のＫ回連続して検出されるか否かを判断する。ステップＳＰ４２において２−２プルダウンパターンがＫ回連続して検出されない場合、状態遷移判別回路１３はステップＳＰ４１に戻ってステート０を維持する。これに対して、ステップＳＰ４２において２−２プルダウンパターンがＫ回連続して検出された場合、状態遷移判別回路１３は次のステップＳＰ４３に移る。
【００８４】
ステップＳＰ４３において状態遷移判別回路１３は、フィルム判別部４のステートを、２−２プルダウンを検出した状態であるステート１に設定するとともに、当該ステート１を示すステート信号Ｓｔを検出回路１２に出力し、次のステップＳＰ４４に移る。この状態において映像信号処理回路１は、入力映像信号Ｓ１がフィルムソースであるとして処理を行う。
【００８５】
ステップＳＰ４４において状態遷移判別回路１３は、レジスタに保持したシーケンス値Ｓ１４に２−２プルダウンパターンが任意のＬ回連続して検出されるか否かを判断する。ステップＳＰ４４において２−２プルダウンパターンがＬ回連続して検出された場合、状態遷移判別回路１３はステップＳＰ４３に戻ってステート１を維持する。この状態において映像信号処理回路１は、入力映像信号Ｓ１がフィルムソースであるとして処理を継続する。
【００８６】
これに対して、ステップＳＰ４４において２−２プルダウンパターンがＬ回連続して検出されない場合、状態遷移判別回路１３は次のステップＳＰ４５に移る。
【００８７】
ステップＳＰ４５において状態遷移判別回路１３は、フィルム判別部４のステートを、２−２プルダウンを直前まで検出しており、かつ現在は検出していない状態であるステート２に設定するとともに、当該ステート２を示すステート信号Ｓｔを検出回路１２に出力し、次のステップＳＰ４６に移る。この状態において映像信号処理回路１は、入力映像信号Ｓ１が非フィルムソースであるとして処理を行う。
【００８８】
ステップＳＰ４６において状態遷移判別回路１３は、レジスタに保持したシーケンス値Ｓ１４に２−２プルダウンパターンが任意のＭ回連続して検出されるか否かを判断する。ステップＳＰ４６において２−２プルダウンパターンがＭ回連続して検出された場合、状態遷移判別回路１３はステップＳＰ４３に戻ってステート１に復帰する。この状態において映像信号処理回路１は、入力映像信号Ｓ１がフィルムソースであるとして処理を再開する。
【００８９】
これに対して、ステップＳＰ４６において２−２プルダウンパターンがＭ回連続して検出されない場合、状態遷移判別回路１３は次のステップＳＰ４７に移る。
【００９０】
ステップＳＰ４７において状態遷移判別回路１３は、レジスタに保持したシーケンス値Ｓ１４に２−２プルダウンパターンが任意のＮ回連続して検出されるか否かを判断する。ステップＳＰ４７において２−２プルダウンパターンがＮ回連続して検出された場合、状態遷移判別回路１３はステップＳＰ４３に戻ってステート２を維持する。
【００９１】
これに対して、ステップＳＰ４７において２−２プルダウンパターンがＮ回連続して検出されない場合、状態遷移判別回路１３はステップＳＰ４１に戻ってステート０に復帰する。
【００９２】
このように状態遷移判別回路１３は、ステートに応じて比較値Ｃｃの値を増減するとともに、ステートの遷移条件である２−２プルダウンパターンの検出回数を各ステート間で異ならせることにより、例えばステート０からステート１へは遷移条件を厳しくしたり、ステート１とステート２の間は遷移条件を緩くすることができる。すなわち、ステート０、１及び２の間の遷移条件をそれぞれ独立して任意に定めることができる。
【００９３】
（３）動作及び効果
以上の構成において、補間フィルタ１０は入力映像信号Ｓ１及び１フィールド遅延映像信号Ｓ２をそれぞれ補間し、互いに同じ空間的位置に画素を有する補間入力映像信号Ｓ１１及び補間１フィールド遅延映像信号Ｓ１２を生成する。
【００９４】
そしてフィールド比較回路１１は、補間入力映像信号Ｓ１１の画素と補間１フィールド遅延映像信号Ｓ１２における対応する位置の画素とをブロック単位で比較し、ブロック毎の検出判別値Ｓ１３を検出回路１２に供給する。検出回路１２は、検出判別値Ｓ１３を１フィールド分カウントしてなるカウント値Ｃｎを生成する。
【００９５】
そして検出回路１２は絶対値判別モードにおいて、フィルム判別部４のステートに応じて設定される比較値Ｃｃとカウント値Ｃｎとを比較することにより、入力映像信号Ｓ１の連続する２フィールドの画像が一致しているか否かを判定し、フィールド毎の判定結果を表すシーケンス値Ｓ１４を状態遷移判別回路１３に供給する。
【００９６】
また検出回路１２は比率判別モードにおいて、カウント値Ｃｎを１フィールド分遅延してなる遅延カウント値Ｃｎ−１を生成する。そして検出回路１２は、カウント値Ｃｎ及び遅延カウント値Ｃｎ−１のうちの小さい方のカウント値に重み付けを施した後、他方のカウント値と比較し、この比較結果に応じて２フィールドの画像が一致しているか否かを判定し、フィールド毎の判定結果を表すシーケンス値Ｓ１４を状態遷移判別回路１３に供給する。
【００９７】
そして状態遷移判別回路１３は、このシーケンス値Ｓ１４に基づいてフィルムソースの判別を行うともに、３つのステート間の遷移を行う。
【００９８】
以上の構成によれば、入力映像信号Ｓ１及び１フィールド遅延映像信号Ｓ２から、互いに同じ空間的位置に画素を有する補間入力映像信号Ｓ１１及び補間１フィールド遅延映像信号Ｓ１２を生成し、当該補間入力映像信号Ｓ１１及び補間１フィールド遅延映像信号Ｓ１２のフィールド間の画素の一致に基づいてフィルムソースであるか否かを判定することにより、インターレース信号におけるフィールド間の垂直方向の非相関成分を抑止して、確実にフィルムソースの判別を行うことができる。
【００９９】
また、比率判別モードにおいて、カウント値Ｃｎと遅延カウント値Ｃｎ−１との比に基づいてフィルムソースであるか否かを判定することにより、例えば電波伝搬環境の影響等によって入力映像信号Ｓ１のＳ／Ｎ比が低下した場合でも、確実にフィルムソースの判別を行うことができる。
【０１００】
（４）他の実施の形態
なお上述の実施の形態においては、フィールド比較回路１１が、補間入力映像信号Ｓ１１の画素と補間１フィールド遅延映像信号Ｓ１２の画素とを６画素を１ブロックとして比較するようにしたが、本発明はこれに限らず、種々の画素数を１ブロックとして比較することができ、この画素数を増減することでフィルムソースの判別レベルを変化させることもできる。
【０１０１】
また上述の実施の形態においては、毎秒５０フィールドの入力映像信号に対して２−２プルダウンを施されたフィルムソースの映像信号を検出する場合について述べたが、本発明はこれに限らず、毎秒６０フィールドの入力映像信号に対して３−２プルダウンを施されたフィルムソースの映像信号を検出する場合に本発明を適用することもできる。
【０１０２】
【発明の効果】
上述のように本発明によれば、連続する第１のフィールド及び第２のフィールドそれぞれから、互いに同じ空間的位置に画素を有する第１の補正フィールド及び第２の補正フィールドを生成し、当該第１及び第２の補正フィールド間の画素の一致に基づいてフィルムソースであるか否かを判定することにより、インターレース信号におけるフィールド間の垂直方向の非相関成分を抑止して、確実に入力映像信号の映像源を判定することができる。
【０１０３】
また本発明においては、同一性判定手段が、連続する２つのフィールドそれぞれについての上記計数値の比に基づいて上記同一又は非同一性を判定するようにしたことにより、例えば電波伝搬環境等の影響によって入力映像信号のＳ／Ｎ比が低下した場合でも、確実に入力映像信号の映像源を判定することができる。
【図面の簡単な説明】
【図１】映像信号処理装置の全体構成を示すブロック図である。
【図２】フィルム判別部の構成を示すブロック図である。
【図３】補間画素の説明に供する略線図である。
【図４】補間画素の説明に供する略線図である。
【図５】検出回路の構成を示すブロック図である。
【図６】ステートの状態遷移図である。
【図７】フィルムソースの場合のシーケンス値のパターンを示す略線図である。
【図８】絶対値判別モード処理手順を示すフローチャートである。
【図９】比率判別モード処理手順を示すフローチャートである。
【図１０】比率判別モード処理手順を示すフローチャートである。
【符号の説明】
１……映像信号処理装置、４……フィルム判別部、６……走査線倍加部、１０……変換フィルタ、１１……フィールド比較回路、１２……検出回路、１３……状態遷移判別回路、２０……カウンタ、２１、２２……選択スイッチ、２３……比較器、２４……比較値発生回路、２５……Ｖラッチ、２６……最小値保持回路、２７……重み付け回路。
【図１】
2004343333.tif 000003
【図２】
2004343333.tif 000004
【図３】
2004343333.tif 000005
【図４】
2004343333.tif 000006
【図５】
2004343333.tif 000007
【図６】
2004343333.tif 000008
【図７】
2004343333.tif 000009
【図８】
2004343333.tif 000010
【図９】
2004343333.tif 000011
【図１０】
2004343333.tif 000012